(57)【特許請求の範囲】
【請求項１】
助手席に取り付けられた後席側への画面表示を行う画像表示装置の表示を制御する表示制御装置であって、
運転席の前後方向における位置が前記助手席の前後方向における位置に対して所定以上に後方にあるか否かを判定するシート位置判定部と、
前記画像表示装置により動画表示がなされているか否かを判定する表示判定部と、
前記表示判定部が前記画像表示装置により動画表示がなされていると判定し、かつ、前記シート位置判定部が前記運転席の前後方向における位置が前記助手席の前後方向における位置に対して所定以上に後方にあると判定すると、前記画像表示装置の動画表示を禁止する禁止部と、
を備える、表示制御装置。
【発明の詳細な説明】
【技術分野】
【０００１】
本発明は、助手席に取り付けられた、後席側への画面表示を行う画像表示装置の表示制御に関する。
【背景技術】
【０００２】
車両において、前席に後席の乗員が視聴する後席ディスプレイが取り付けることが行われている。例えば特許文献１には、後席ディスプレイにＴＶチューナ等から出力される画像データに基づく画像を表示することが記載されている。
【先行技術文献】
【特許文献】
【０００３】
【特許文献１】特開２００５−１９９９９８号公報
【発明の概要】
【発明が解決しようとする課題】
【０００４】
しかしながら、助手席に後席ディスプレイが取り付けられていると、運転席と助手席との前後方向における相対的な位置関係によっては、運転席から助手席側を目視した場合に当該後席ディスプレイの画面が運転者の視界に入ることが有り得る。したがって、運転者は、車両の走行中に後席ディスプレイに表示されている動画を視認する可能性がある。
【０００５】
本発明は、上記課題を鑑みてなされたものであり、助手席に取り付けられた後席ディスプレイの画面が運転者の視界に入る場合に、表示中の動画が運転者に提供されることを回避することができる表示制御装置を提供するものである。
【課題を解決するための手段】
【０００６】
上記課題を解決するために、本発明は、助手席に取り付けられた後席側への画面表示を行う画像表示装置の表示を制御する表示制御装置であって、運転席の前後方向における位置が前記助手席の前後方向における位置に対して所定以上に後方にあるか否かを判定するシート位置判定部と、前記画像表示装置により動画表示がなされているか否かを判定する表示判定部と、前記表示判定部が前記画像表示装置により動画表示がなされていると判定し、かつ、前記シート位置判定部が前記運転席の前後方向における位置が前記助手席の前後方向における位置に対して所定以上に後方にあると判定すると、前記画像表示装置の動画表示を禁止する禁止部と、を備える。
【０００７】
本発明によれば、助手席に取り付けられた後席側への画面表示を行う画像表示装置が動画を表示しているときに、運転席の前後方向における位置が助手席の前後方向における位置に対して所定以上に後方になると、画像表示装置の動画表示が禁止される。したがって、運転席の前後方向における位置が、画像表示装置の画面が運転者の視界に入る位置となる場合に、表示中の動画が運転者に提供されることを回避することができる。
【発明の効果】
【０００８】
本発明の表示制御装置によれば、助手席に取り付けられた後席ディスプレイの画面が運転者の視界に入る場合に、表示中の動画が運転者に提供されることを回避することができる表示制御装置を提供することができる。
【図面の簡単な説明】
【０００９】
【図１】本発明の実施形態に係る表示制御装置の構成を示すブロック図
【図２】本発明の実施形態に係る表示制御装置の動作手順を説明するフローチャート
【図３】本発明の実施形態の変形例に係る表示制御装置の動作手順を説明するフローチャート
【発明を実施するための形態】
【００１０】
［概要］
本発明の表示制御装置は、助手席に取り付けられた後席ディスプレイが動画を表示しているときに、運転席の前後方向における位置が助手席の前後方向における位置に対して所定以上に後方になると、後席ディスプレイの動画表示を禁止する構成である。これにより、運転席の前後方向における位置が、後席ディスプレイの画面が運転者の視界に入る位置となる場合に、表示中の動画が運転者に提供されることを回避する。
【００１１】
以下、本発明が提供する表示制御装置の一実施形態について、図面を参照しながら順に説明する。
【００１２】
［表示制御装置の構成例］
図１に、本実施形態に係る表示制御装置であるシートＥＣＵ１の構成を示す。シートＥＣＵ１は、車両Ｗに搭載され、シート位置判定部１ａ、表示判定部１ｂ、および、禁止部１ｃを備えている。車両Ｗは、前席シート（運転席Ｕ１、助手席Ｕ２）、後席シートＶ、および、後席ディスプレイ２を備えている。後席ディスプレイ２は、助手席Ｕ２に（例えば、助手席Ｕ２のヘッドレスト背面に）取り付けられ、後席Ｖ側への画面表示を行う画像表示装置である。後席ディスプレイ２は、ＴＶ受信映像、記録媒体からの再生映像といった、動画を表示することが可能である。
【００１３】
シートＥＣＵ１は、カーナビゲーション装置等の前席ディスプレイ（不図示）を介してユーザからのシート移動指示を受けると、前席シート（運転席Ｕ１、助手席Ｕ２）のシート位置を目標位置までステップ状に変化させる制御を行う。運転席Ｕ１の前後方向における位置であるスライド位置Ｘ１と、助手席Ｕ２の前後方向における位置であるスライド位置Ｘ２とは、それぞれ前後方向の範囲Ｒ内で変化し得る。また、シートＥＣＵ１は、後席ディスプレイ２による画像表示を後述のように制御する。なお、以下では、シートＥＣＵ１が備えるシート移動の制御構成については特に説明せず、主に、シート位置判定部１ａ、表示判定部１ｂ、および、禁止部１ｃについて説明する。
【００１４】
シート位置判定部１ａは、運転席Ｕ１の位置センサ（不図示）から位置信号ｐ１を取得することにより、運転席Ｕ１のスライド位置Ｘ１の情報を取得する。また、シート位置判定部１ａは、助手席Ｕ２の位置センサ（不図示）から位置信号ｐ２を取得することにより、助手席Ｕ２のスライド位置Ｘ２の情報を取得する。シートＥＣＵ１はユーザからの指示入力に従うステップ数でシートを移動させることから、運転席Ｕ１と助手席Ｕ２とのいずれか一方が１つのステップ移動を終了する度に、スライド位置Ｘ１とスライド位置Ｘ２との相対位置が変化する。
【００１５】
シート位置判定部１ａは、スライド位置Ｘ１がスライド位置Ｘ２に対して後方にあるか否かを判定する。シート位置判定部１ａは、スライド位置Ｘ１がスライド位置Ｘ２に対して後方にある場合に、スライド位置Ｘ１とスライド位置Ｘ２との差の距離で表される位置差Ｌを算出する。また、シート位置判定部１ａは、位置差Ｌが所定の閾値Ｌｔｈ以上であるか否かを判定する。スライド位置Ｘ１がスライド位置Ｘ２よりも閾値Ｌｔｈ以上に後方となる状態においては、後席ディスプレイ２の画面が運転者Ｄの視界に入り得るため、運転者Ｄは視線ｅ上に後席ディスプレイ２の表示画像を視ることができる。
【００１６】
シート位置判定部１ａは、位置差信号ｎを禁止部１ｃに入力する。位置差信号ｎは、スライド位置Ｘ１とスライド位置Ｘ２との相対位置が、第１の状態と第２の状態とのいずれにあるかを示す信号である。第１の状態は、スライド位置Ｘ１がスライド位置Ｘ２に対して後方にあって位置差Ｌが閾値Ｌｔｈ以上である状態である。第２の状態は、スライド位置Ｘ１がスライド位置Ｘ２に対して後方にない、または、スライド位置Ｘ１がスライド位置Ｘ２に対して後方にあって位置差Ｌが閾値Ｌｔｈ未満である状態である。
【００１７】
表示判定部１ｂは、後席ディスプレイ２から、後席ディスプレイ２がＴＶ受信、映像媒体の再生、静止画媒体の再生といった、表示モードの種類を示す表示モード信号ｍｄを受信する。表示判定部１ｂは、表示モード信号ｍｄに基づき、後席ディスプレイ２が動画を表示しているか否かを示す表示態様信号ｍｓを、禁止部１ｃに入力する。
【００１８】
禁止部１ｃは、表示態様信号ｍｓが後席ディスプレイ２が動画を表示していることを示す場合に、位置差信号ｎが第１の状態、すなわちスライド位置Ｘ１がスライド位置Ｘ２に対して後方にあって位置差Ｌが閾値Ｌｔｈ以上であることを示すと、後席ディスプレイ２の動画表示を禁止する禁止信号ｏを後席ディスプレイ２に入力する。
【００１９】
後席ディスプレイ２は、禁止信号ｏが入力されると、動画表示を中止して、所定の静止画を表示する。後席ディスプレイ２が前席ディスプレイ等の他装置から画像データの供給を受けている場合に、禁止信号ｏが当該他装置に入力されて、当該他装置から後席ディスプレイ２に動画のデータに代わる所定の静止画のデータが供給されてもよい。
【００２０】
なお、例えば、シートＥＣＵ１と後席ディスプレイ２との間に任意の他のＥＣＵが介在するネットワーク構成の場合に、シートＥＣＵ１と後席ディスプレイ２との間の通信（表示モード信号ｍｓおよび禁止信号ｏの送受信）が、当該他のＥＣＵによるゲートウェイ動作により行われる。
【００２１】
[表示制御装置の動作]
次に、図２のフローチャートを参照して、スライド位置Ｘ１がスライド位置Ｘ２に対して所定以上に後方へ変化する場合の、シートＥＣＵ１が行う制御手順を説明する。当該フローは、例えば、シートＥＣＵ１が備えるコンピュータの構成において、プロセッサが記憶媒体に格納されたプログラムを読み出して実行することにより実現される。
【００２２】
当該フローは、スライド位置Ｘ１がスライド位置Ｘ２に対して、所定以上に後方にはない状態から後方へと一方向に変化する場合の制御手順を規定する。なお、フローの開始条件に、車両Ｗが走行中であることを付加してもよい。
【００２３】
ステップＳ１０１において、シート位置判定部１ａは、位置信号ｐ１に基づいて取得したスライド位置Ｘ１と、位置信号ｐ２に基づいて取得したスライド位置Ｘ２との相対位置が変化したか否かを判定する。ステップＳ１０１においてシート位置判定部１ａが当該相対位置が変化したと判定する場合にはステップＳ１０２へ進み、ステップＳ１０１においてシート位置判定部１ａが当該相対位置が変化しないと判定する場合にはステップＳ１０１を繰り返す。
【００２４】
ステップＳ１０２において、シート位置判定部１ａは、スライド位置Ｘ１がスライド位置Ｘ２よりも後方にあるか否かを判定する。ステップＳ１０２においてシート位置判定部１ａがスライド位置Ｘ１がスライド位置Ｘ２よりも後方にあると判定する場合にはステップＳ１０３へ進み、ステップＳ１０２においてシート位置判定部１ａがスライド位置Ｘ１がスライド位置Ｘ２よりも後方にないと判定する場合にはステップＳ１０１へ戻る。
【００２５】
ステップＳ１０３において、シート位置判定部１ａは、位置差Ｌが閾値Ｌｔｈ以上であるか否かを判定する。ステップＳ１０３においてシート位置判定部１ａが位置差Ｌが閾値Ｌｔｈ以上であると判定する場合にはステップＳ１０４へ進み、ステップＳ１０３においてシート位置判定部１ａが位置差Ｌが閾値Ｌｔｈ以上でないと判定する場合にはステップＳ１０１へ戻る。
【００２６】
ステップＳ１０４において、禁止部１ｃは、後席ディスプレイ２が動画表示中か否かを判定する。この場合に、禁止部１ｃは、表示判定部１ｂから後席ディスプレイ２が動画を表示していることを示す表示態様信号ｍｓが入力されているか否かに基づいて、後席ディスプレイ２が動画表示中か否かを判定する。ステップＳ１０４において禁止部１ｃが後席ディスプレイ２が動画表示中であると判定するとステップＳ１０５へ進み、ステップＳ１０４において禁止部１ｃが後席ディスプレイ２が動画表示中でないと判定するとステップＳ１０１へ戻る。ステップＳ１０４において禁止部１ｃが後席ディスプレイ２が動画表示中であると判定することは、表示判定部１ｂが後席ディスプレイ２により動画表示がなされていると判定し、かつ、シート位置判定部１ａがスライド位置Ｘ１がスライド位置Ｘ２に対して所定以上に後方にあると判定することに相当する。
【００２７】
ステップＳ１０５において、禁止部１ｃは、後席ディスプレイ２に禁止信号ｏを入力することにより、後席ディスプレイ２の動画表示を禁止する。後席ディスプレイ２は、動画表示に代えて、例えば所定の静止画を表示する。ステップＳ１０５が終了すると、当該フローは終了する。
【００２８】
[変形例]
図３のフローチャートを参照して、シートＥＣＵ１が行う変形例に係る制御手順を説明する。当該フローは、例えば、シートＥＣＵ１が備えるコンピュータの構成において、プロセッサが記憶媒体に格納されたプログラムを読み出して実行することにより実現される。当該フローは、スライド位置Ｘ１がスライド位置Ｘ２に対して、所定以上に後方にはない状態から後方へと一方向に変化する場合の制御手順を規定する。なお、フローの開始条件に、車両Ｗが走行中であることを付加してもよい。
【００２９】
ステップＳ２０１は図２におけるステップＳ１０１と、ステップＳ２０２は図２におけるステップＳ１０２とそれぞれ同様であり、これらのステップの説明を省略する。
【００３０】
ステップＳ２０２に続くステップＳ２０３において、シート位置判定部１ａは、位置差Ｌが閾値Ｌｔｈよりも所定値以下だけ小さい値であるか否かを判定する。すなわち、スライド位置Ｘ１が現位置から１ステップ分といった所定値分の距離だけ後方に変化する、または、スライド位置Ｘ２が現位置から所定値分の距離だけ前方に変化すると、閾値Ｌｔｈ以上となるような位置差Ｌが現時点で得られているか否かをシート位置判定部１ａが判定する。ステップＳ２０３においてシート位置判定部１ａが位置差Ｌが閾値Ｌｔｈよりも所定値以下だけ小さい値であると判定する場合にはステップＳ２０４へ進み、ステップＳ２０３においてシート位置判定部１ａが位置差Ｌが閾値Ｌｔｈよりも所定値以下だけ小さい値でないと判定する場合にはステップＳ２０８へ進む。ステップＳ２０８ではシート位置判定部１ａが位置差Ｌが閾値Ｌｔｈ以上であるか否かを判定する。ステップＳ２０８においてシート位置判定部１ａは置差Ｌが閾値Ｌｔｈ以上でないと判定し、処理がステップＳ２０１へ戻る。
【００３１】
ステップＳ２０４において、禁止部１ｃは、表示判定部１ｃから入力される表示態様信号ｍｓに基づいて後席ディスプレイ２が動画表示中であるか否かを判定する。ステップＳ２０４において禁止部１ｃが後席ディスプレイ２が動画表示中であると判定するとステップＳ２０５へ進み、ステップＳ２０４において禁止部１ｃが後席ディスプレイ２が動画表示中でないと判定するとステップＳ２０１へ戻る。
【００３２】
ステップＳ２０５において、禁止部１ｃは、後席ディスプレイ２に、位置差Ｌが閾値Ｌｔｈよりも所定値以下だけ小さい値であることを示す信号を入力するなどにより、動画表示を禁止するか否かをユーザに選択させる選択画面を表示させる。当該選択画面は、リモートコントロール入力、タッチ入力などの、入力デバイスを介した入力をユーザに促す画面である。選択画面の表示時には、禁止部１ｃはシートＥＣＵ１のシート移動制御部（不図示）にシートを停止させる。
【００３３】
次いで、ステップＳ２０６において、ユーザにより動画表示の禁止を許諾する入力がなされた場合にはステップＳ２０１へ戻り、ユーザにより動画表示の禁止を許諾する入力がなされなかった場合にはステップＳ２０７へ進む。動画表示の禁止を許諾する入力がなされなかったことは、例えば、動画表示の禁止を許諾しないことを示す入力がなされたことからなる。
【００３４】
ステップＳ２０７において、禁止部１ｃは、シートＥＣＵ１のシート移動制御部（不図示）に対して、運転席Ｕ１と助手席Ｕ２との位置差Ｌが閾値Ｌｔｈとなるような前後方向のシート移動制御を禁止する。また、このとき、例えば、後席ディスプレイ２は表示中の動画を継続して表示する。ステップＳ２０７が終了すると、当該フローは終了する。
【００３５】
一方、ステップＳ２０６からステップＳ２０１へ戻り、さらにステップＳ２０２以降へ進んだ場合には、ステップＳ２０３においてシート位置判定部１ａが位置差Ｌは閾値Ｌｔｈよりも所定値以下だけ小さい値ではないと判定することから、ステップＳ２０８へ進む。そして、ステップＳ２０８においてシート位置判定部１ａが位置差Ｌが閾値Ｌｔｈ以上であると判定する場合には、ステップＳ２０９へ進む。ステップＳ２０８においてシート位置判定部１ａが位置差Ｌが閾値Ｌｔｈ以上でないと判定する場合には、ステップＳ２０１へ戻る。
【００３６】
ステップＳ２０９において、禁止部１ｃは、表示判定部１ｃから入力される表示態様信号ｍｓに基づいて後席ディスプレイ２が動画表示中であるか否かを判定する。ステップＳ２０９において禁止部１ｃが後席ディスプレイ２が動画表示中であると判定するとステップＳ２１０へ進み、ステップＳ２０９において禁止部１ｃが後席ディスプレイ２が動画表示中でないと判定すると当該フローは終了する。ステップＳ２０９において禁止部１ｃが後席ディスプレイ２が動画表示中であると判定することは、表示判定部１ｂが後席ディスプレイ２により動画表示がなされていると判定し、かつ、シート位置判定部１ａがスライド位置Ｘ１がスライド位置Ｘ２に対して所定以上に後方にあると判定することに相当する。
【００３７】
ステップＳ２１０において、禁止部１ｃは、後席ディスプレイ２に禁止信号ｏを入力することにより、後席ディスプレイ２の動画表示を禁止する。この場合に、後席ディスプレイ２は、動画表示に代えて、例えば所定の静止画を表示する。ステップＳ２１０が終了すると、当該フローは終了する。
【００３８】
［実施の形態の効果］
以上のように、本実施形態に係る表示制御装置１は、助手席Ｕ２に取り付けられた後席側への画面表示を行う画像表示装置（後席ディスプレイ２）の表示を制御する表示制御装置であって、シート位置判定部１ａと、表示判定部１ｂと、禁止部１ｃとを備えている。シート位置判定部１ａは、運転席Ｕ１の前後方向における位置（スライド位置Ｘ１）が、助手席Ｕ２の前後方向における位置（スライド位置Ｘ２）に対して所定以上に後方にあるか否かを判定する。表示判定部１ｂは、画像表示装置（後席ディスプレイ２）により動画表示がなされているか否かを判定する。禁止部１ｃは、表示判定部１ｂが画像表示装置（後席ディスプレイ２）により動画表示がなされていると判定し、かつ、シート位置判定部１ａが運転席Ｕ１の前後方向における位置（スライド位置Ｘ１）が助手席Ｕ２の前後方向における位置（スライド位置Ｘ２）に対して所定以上に後方にあると判定すると、画像表示装置（後席ディスプレイ２）の動画表示を禁止する。
【００３９】
当該構成によれば、助手席Ｕ２に取り付けられた後席側への画面表示を行う画像表示装置（後席ディスプレイ２）が動画を表示しているときに、運転席Ｕ１の前後方向における位置（スライド位置Ｘ１）が助手席Ｕ２の前後方向における位置（スライド位置Ｘ２）に対して所定以上に後方になると、画像表示装置（後席ディスプレイ２）の動画表示が禁止される。したがって、運転席Ｕ１の前後方向における位置（スライド位置Ｘ１）が、画像表示装置（後席ディスプレイ２）の画面が運転者Ｄの視界に入る位置となる場合に、表示中の動画が運転者Ｄに提供されることを回避することができる。
【産業上の利用可能性】
【００４０】
本発明は、助手席に後席ディスプレイを備える車両一般に適用可能である。
【符号の説明】
【００４１】
１              シートＥＣＵ
１ａ            シート位置判定部
１ｂ            表示判定部
１ｃ            禁止部
２              後席ディスプレイ
ｅ              視線
ｍｄ            表示モード信号
ｍｓ            表示態様信号
ｎ              位置差信号
ｏ              禁止信号
ｐ１、ｐ２      位置信号
Ｄ              運転者
Ｌ              位置差
Ｌｔｈ          閾値
Ｒ              範囲
Ｕ１            運転席
Ｕ２            助手席
Ｖ              後席
Ｘ１、Ｘ２      スライド位置
Ｗ              車両
【図１】
0006572752.tif 000002
【図２】
0006572752.tif 000003
【図３】
0006572752.tif 000004